(57)【要約】  外部機器を接続可能なナビゲーション装置から出力される経路案内情報が、当該機器又は当該装置のいずれのナビゲーション機能によるものかを容易に認識できるようにする。  ＨＭＩデバイス（１０４〜１１０）に経路案内情報を出力するナビゲーション装置（１００）と、前記ナビゲーション装置に接続されるナビゲーション機能を備える外部機器（１０２）と、を有し、前記ナビゲーション装置は、前記外部機器からの入力を検出する外部機器検出手段（３２２）と、ＨＭＩデバイスへの経路案内情報の出力を制御する出力制御手段（３２４）と、を備え、前記出力制御手段は、前記外部機器検出手段が前記外部機器からの入力を検出しているときは、自装置が備えるナビゲーション機能により前記ＨＭＩデバイスに経路案内情報を出力するときと異なる出力態様で、前記外部機器が備えるナビゲーション機能による経路案内情報を前記ＨＭＩデバイスへ出力する。
2017018052.tif 000002
【特許請求の範囲】
【請求項１】
ヒューマン・マシン・インターフェース・デバイス（ＨＭＩデバイス）に経路案内情報を出力するナビゲーション装置と、
前記ナビゲーション装置に接続されるナビゲーション機能を備える外部機器と、
を有するナビゲーションシステムであって、
前記ナビゲーション装置は、
前記外部機器からの入力を検出する外部機器検出手段と、
ＨＭＩデバイスへの経路案内情報の出力を制御する出力制御手段と、
を備え、
前記出力制御手段は、
自装置が備えるナビゲーション機能又は前記外部機器が備えるナビゲーション機能のいずれかによる経路案内情報を選択的に前記ＨＭＩデバイスへ出力し、且つ、
前記外部機器検出手段が前記外部機器からの入力を検出しているときは、自装置が備えるナビゲーション機能により前記ＨＭＩデバイスに経路案内情報を出力するときと異なる出力態様で、前記外部機器が備えるナビゲーション機能による経路案内情報を前記ＨＭＩデバイスへ出力する、
ナビゲーションシステム。
【請求項２】
前記ＨＭＩデバイスは表示装置を含み、
前記経路案内情報は、自車両の進行方向についての方向案内表示を含み、
前記出力態様は、前記表示装置に前記方向案内表示を表示する際の表示色であって、
前記出力制御手段は、自装置が備えるナビゲーション機能による前記方向案内表示を前記表示装置に出力するときと異なる色を用いて、前記外部機器が備えるナビゲーション機能による前記方向案内表示を前記表示装置に表示する、
請求項１に記載のナビゲーションシステム。
【請求項３】
前記ＨＭＩデバイスはスピーカを含み、
前記経路案内情報は、目的地までの経路に関する音声案内を含み、
前記出力態様は、前記スピーカに前記音声案内を出力する際の音声の種別であって、
前記出力制御手段は、自装置が備えるナビゲーション機能により前記スピーカに前記音声案内を出力するときと異なる種別の音声を用いて、前記外部機器が備えるナビゲーション機能による前記音声案内を前記スピーカへ出力する、
請求項１に記載のナビゲーションシステム。
【請求項４】
前記ナビゲーション装置は、自装置に接続された前記外部機器が出力する前記音声案内の音声の種別を判定する音声判定手段を備え、
前記出力制御手段は、前記外部機器が自装置に接続されて前記音声判定手段が前記外部機器が出力する前記音声案内の音声の種別を判定したときは、その後に自装置が備えるナビゲーション機能により前記スピーカに前記音声案内を出力するときは、前記判定された前記外部機器が出力する前記音声案内の音声の種別と異なる種別の音声により前記音声案内をスピーカに出力する、
請求項３に記載のナビゲーションシステム。
【請求項５】
前記ＨＭＩデバイスはマイクロホンを含み、
前記音声判定手段は、自装置に接続された前記外部機器が前記スピーカから出力する前記音声案内を前記マイクロホンにより検知し、当該検知した音声案内の音声の種別を、前記外部機器が出力する前記音声案内の音声の種別として判定する、
請求項３又は４に記載のナビゲーションシステム。
【請求項６】
自装置に接続された外部機器が備えるナビゲーション機能と、自装置が備えるナビゲーション機能とを、ヒューマン・マシン・インターフェース・デバイス（ＨＭＩデバイス）に選択的に出力する機能を有するナビゲーション装置であって、
前記外部機器からの入力を検出する外部機器検出手段と、
前記ＨＭＩデバイスへの経路案内情報の出力を制御する出力制御手段と、
を備え、
前記出力制御手段は、
自装置が備えるナビゲーション機能又は前記外部機器が備えるナビゲーション機能のいずれかによる経路案内情報を選択的に前記ＨＭＩデバイスへ出力し、且つ、
前記外部機器検出手段が前記外部機器からの入力を検出しているときは、自装置が備えるナビゲーション機能により前記ＨＭＩデバイスに経路案内情報を出力するときと異なる出力態様で、前記外部機器が備えるナビゲーション機能による経路案内情報を前記ＨＭＩデバイスへ出力する、
ナビゲーション装置。
【請求項７】
請求項１ないし５のいずれか一項に記載のナビゲーションシステム又は請求項６に記載のナビゲーション装置を備える車両。
【発明の詳細な説明】
【技術分野】
【０００１】
本発明は、車載のナビゲーション装置と、当該ナビゲーション装置に接続される外部機器と、により構成されるナビゲーションシステムに関し、特に、車載のナビゲーション装置が備えるナビゲーション機能と外部機器が備えるナビゲーション機能のいずれが実行されているかを容易に識別することのできるナビゲーションシステム、及び当該ナビゲーションシステムに用いられるナビゲーション装置に関する。
【背景技術】
【０００２】
車両の運転者に目的地までの経路情報等を提供するナビゲーション装置には、スマートホン等の外部機器を接続することで当該外部機器が備える機能を当該ナビゲーション装置が備える表示装置やスピーカ（いわゆる、ヒューマン・マシン・インターフェース・デバイス（ＨＭＩデバイス））を介して利用することのできる、いわゆるヘッドユニット（Head Unit）としての機能を備えるものがある。【０００３】
ユーザは、このようなヘッドユニットとしての機能を有するナビゲーション装置にＵＳＢ等の情報通信バスを介してスマートホンを接続することで、例えば、当該ナビゲーション装置のナビゲーション機能に代えて、当該接続されたスマートホンがアプリケーション・プログラムを実行することにより提供するナビゲーション機能を利用することができる。【０００４】
これにより、ユーザは、使い慣れたスマートホンと車載ナビゲーション装置とを、用途や趣向に応じて選択的に活用することができる。しかしながら、その一方で、「ナビゲーション機能」という同一の（又は同種の）機能を複数の装置（車載ナビゲーション装置とスマートホン）により利用できるようになったことで、新たな問題も生じ得る。【０００５】
例えば、ヘッドユニットとしての機能を有する車載ナビゲーション装置に目的地を設定してナビゲーションを開始した後に、これとは別の目的地を設定したスマートホンを当該車載ナビゲーション装置に接続して利用した場合、ユーザである運転者は、当該車載ナビゲーション装置から現在提供されている経路案内情報（ナビゲーション情報）が、車載ナビゲーション装置に設定した目的地までの経路案内情報なのか、それともスマートホンに設定した目的地までの経路案内情報なのかを即座に判断するのが困難となって、混乱したり不安感を持つこととなり得る。【０００６】
また、車載ナビゲーション装置に用いられる車載ＧＰＳ装置とスマートホンに用いられるＧＰＳデバイスとでは、位置特定の精度が異なる場合が多く、一般的には車載ＧＰＳ装置の方が精度が高い。また、経路情報等の作成に用いる地図情報の精度や更新頻度も、車載ナビゲーション装置とスマートホンとでは異なっている場合が多い。このため、上述のように車載ナビゲーション装置にスマートホンを接続して使用する場合、車載ナビゲーション装置とスマートホンとで同じ目的地を設定したとしても、両者の間で経路案内情報の精度に差があることから、ユーザは、車載ナビゲーション装置とスマートホンのいずれの経路案内情報が出力されているのかを認識できていないと、経路情報の精度を見誤って目標ルートから逸脱してしまうこととなり得る。【０００７】
さらに、利用していたナビゲーション機能に不具合が生じたために点検や修理を依頼したいというような場合、ユーザは、当該不具合の発生時点において車載ナビゲーション装置のナビゲーション機能を利用していたのか、それともスマートホンのナビゲーション機能を利用していたのかを識別できていないと、当該不具合を解消するために点検・修理を依頼すべき装置を特定することができず、依頼すべき業者を正しく選択することもできないという事態に陥ることとなる。【０００８】
従って、ユーザにとり、車載ナビゲーション装置が備えるナビゲーション機能を利用しているのかスマートホンのナビゲーション機能を使用しているのかの判別（認識）が容易であることが必要である。【０００９】
従来、携帯電話と通信して当該携帯電話の画面に表示されている表示データを車載ディスプレイ装置に表示する車載装置が知られている（特許文献１）。この車載装置の構成を上述したヘッドユニット機能を有するナビゲーション装置において転用し、スマートホンのナビゲーション機能を用いる場合には当該スマートホンの画面に表示される表示データを車載ディスプレイに表示し、車載ナビゲーション装置を用いる場合には当該車載ナビゲーション装置が有するナビゲーション機能の表示データを車載ディスプレイに表示することが考えられる。この場合、車載ディスプレイに表示される表示画面の違いから、現在のナビゲーションに用いられている装置が車載ナビゲーション装置かスマートホンかを識別することは可能となり得る。【００１０】
しかしながら、ナビゲーション機能を提供する装置が異なっても、ナビゲーション機能という同一又は同種の機能が提供される場合には、ディスプレイ上に表示される情報は「地図情報」と「経路（ルート）表示」のように共通する表示が多くなり、一見して識別することは困難となり得る。また、一般に、地図情報等の表示に適した画面サイズの車載ディスプレイは、ダッシュボードの中央部に配されることが多く、運転者にとり、そのようなダッシュボードの中央部に配された車載ディスプレイに視線を向けて表示画面上のわずかな違いを識別することは、困難であり且つ安全運転の観点からも好ましいものではない。【００１１】
また、運転者から見易いスピードメータ等の計器類の画面の中に、経路案内情報にしたがった進路変更の方向を示すアイコンを、当該進路変更が必要となる前のタイミングで表示する（いわゆるturn-by-turn表示を行う）ナビゲーションシステムが知られている（特許文献２）。【００１２】
しかしながら、このシステムでは進路変更表示がアイコン化されてしまうため、車載ナビゲーション装置とスマートホンのように複数の異なる装置から経路案内情報が与えられ得るような環境に上記システムを適用した場合、いずれの装置の経路案内情報に基づいた表示かを上記アイコン化された進路変更表示から識別することは極めて困難である。
【先行技術文献】
【特許文献】
【００１３】
【特許文献１】特開２００３−２４４３４３号公報
【特許文献２】特開２０１０−２６１８０３号公報
【発明の概要】
【発明が解決しようとする課題】
【００１４】
上記背景より、ＨＭＩ（Human-Machine Interface）デバイスに経路案内情報を出力するナビゲーション装置と、前記ナビゲーション装置に接続されるナビゲーション機能を備える外部機器と、を有するナビゲーションシステム（又は当該ナビゲーション装置）において、ＨＭＩデバイスに現在出力されている経路案内情報がいずれの装置が備えるナビゲーション機能によるものかをユーザが容易に特定できるようにすることが望まれている。
【課題を解決するための手段】
【００１５】
本発明の一の態様は、ヒューマン・マシン・インターフェース・デバイス（ＨＭＩデバイス）に経路案内情報を出力するナビゲーション装置と、前記ナビゲーション装置に接続されるナビゲーション機能を備える外部機器と、を有するナビゲーションシステムであって、前記ナビゲーション装置は、前記外部機器からの入力を検出する外部機器検出手段と、ＨＭＩデバイスへの経路案内情報の出力を制御する出力制御手段と、を備え、前記出力制御手段は、自装置が備えるナビゲーション機能又は前記外部機器が備えるナビゲーション機能のいずれかによる経路案内情報を選択的に前記ＨＭＩデバイスへ出力し、且つ、前記外部機器検出手段が前記外部機器からの入力を検出しているときは、自装置が備えるナビゲーション機能により前記ＨＭＩデバイスに経路案内情報を出力するときと異なる出力態様で、前記外部機器が備えるナビゲーション機能による経路案内情報を前記ＨＭＩデバイスへ出力する。
本発明の他の態様によると、前記ＨＭＩデバイスは表示装置を含み、前記経路案内情報は、自車両の進行方向についての方向案内表示を含み、前記出力態様は、前記表示装置に前記方向案内表示を表示する際の表示色であって、前記出力制御手段は、自装置が備えるナビゲーション機能による前記方向案内表示を前記表示装置に出力するときと異なる色を用いて、前記外部機器が備えるナビゲーション機能による前記方向案内表示を前記表示装置に表示する。
本発明の他の態様によると、前記ＨＭＩデバイスはスピーカを含み、
前記経路案内情報は、目的地までの経路に関する音声案内を含み、前記出力態様は、前記スピーカに前記音声案内を出力する際の音声の種別であって、前記出力制御手段は、自装置が備えるナビゲーション機能により前記スピーカに前記音声案内を出力するときと異なる種別の音声を用いて、前記外部機器が備えるナビゲーション機能による前記音声案内を前記スピーカへ出力する。
本発明の他の態様によると、前記ナビゲーション装置は、自装置に接続された前記外部機器が出力する前記音声案内の音声の種別を判定する音声判定手段を備え、前記出力制御手段は、前記外部機器が自装置に接続されて前記音声判定手段が前記外部機器が出力する前記音声案内の音声の種別を判定したときは、その後に自装置が備えるナビゲーション機能により前記スピーカに前記音声案内を出力するときは、前記判定された前記外部機器が出力する前記音声案内の音声の種別と異なる種別の音声により前記音声案内をスピーカに出力する。
本発明の他の態様によると、前記ＨＭＩデバイスはマイクロホンを含み、前記音声判定手段は、自装置に接続された前記外部機器が前記スピーカから出力する前記音声案内を前記マイクロホンにより検知し、当該検知した音声案内の音声の種別を、前記外部機器が出力する前記音声案内の音声の種別として判定する。
本発明の他の態様は、自装置に接続された外部機器が備えるナビゲーション機能と、自装置が備えるナビゲーション機能とを、ヒューマン・マシン・インターフェース・デバイス（ＨＭＩデバイス）に選択的に出力する機能を有するナビゲーション装置であって、前記外部機器からの入力を検出する外部機器検出手段と、前記ＨＭＩデバイスへの経路案内情報の出力を制御する出力制御手段と、を備え、前記出力制御手段は、自装置が備えるナビゲーション機能又は前記外部機器が備えるナビゲーション機能のいずれかによる経路案内情報を選択的に前記ＨＭＩデバイスへ出力し、且つ、前記外部機器検出手段が前記外部機器からの入力を検出しているときは、自装置が備えるナビゲーション機能により前記ＨＭＩデバイスに経路案内情報を出力するときと異なる出力態様で、前記外部機器が備えるナビゲーション機能による経路案内情報を前記ＨＭＩデバイスへ出力する。
本発明の更に他の態様は、上記ナビゲーションシステム又は上記ナビゲーション装置を備える車両である。
【図面の簡単な説明】
【００１６】
【図１】本発明の第１の実施形態に係るナビゲーションシステムの構成を示す図である。
【図２】ホスト車両の運転席付近におけるディスプレイ装置の配置の例を示す図である。
【図３】図１に示すナビゲーションシステムに用いられるナビゲーション装置の構成を示す図である。
【図４】図１に示すナビゲーションシステムにおいてセカンドディスプレイに表示される進路方向指示アイコンの一例を示す図である。
【図５】図３に示すナビゲーション装置における外部機器検出処理の手順を示すフロー図である。
【図６】図３に示すナビゲーション装置における出力制御処理１の手順を示すフロー図である。
【図７】本発明の第２の実施形態に係るナビゲーションシステムの構成を示す図である。
【図８】図７に示すナビゲーションシステムに用いられるナビゲーション装置の構成を示す図である。
【図９】図８に示すナビゲーション装置における音声判定処理の手順を示すフロー図である。
【図１０】図８に示すナビゲーション装置における出力制御処理２の手順を示すフロー図である。
【発明を実施するための形態】
【００１７】
以下、図面を参照して、本発明の実施の形態を説明する。
【００１８】
〔第１実施形態〕  まず、本発明の第１の実施形態に係るナビゲーションシステムについて説明する。
図１は、本発明の第１の実施形態に係るナビゲーションシステムの構成を示す図、図２は、ホスト車両の運転席付近におけるディスプレイ装置の配置の例を示す図である。
【００１９】
本ナビゲーションシステム１０は、車載のナビゲーション装置１００と、外部機器１０２と、メインディスプレイ１０４と、セカンドディスプレイ１０６と、スピーカ１０８と、マイクロホン１１０と、を有する。メインディスプレイ１０４と、セカンドディスプレイ１０６と、スピーカ１０８と、マイクロホン１１０と、は、ヒューマン・マシン・インターフェース・デバイス（ＨＭＩデバイス）である。
【００２０】
ナビゲーション装置１００と、メインディスプレイ１０４と、セカンドディスプレイ１０６と、スピーカ１０８と、マイクロホン１１０と、は、ホスト車両に設けられた装置であり、外部機器１０２は、ユーザが必要に応じてナビゲーション装置１００に接続して使用する装置である。
【００２１】
メインディスプレイ１０４は、例えば液晶表示装置と当該液晶表示装置の表示スクリーン上に設けられたタッチパネル等とで構成されており、ユーザは、メインディスプレイ１０４及び又はマイクロホン１１０を介して、ナビゲーション装置１００に指示（コマンド）を入力したりデータを入力することができる。ナビゲーション装置１００は、当該入力されたコマンド及び又はデータに基づいて動作し、又はこれらのコマンド及び又はデータを外部機器１０２へ出力する。
【００２２】
外部機器１０２は、例えばスマートホン等の多機能携帯電話やポータブルＰＣ等の携帯情報端末機器である。外部機器１０２は、例えばＵＳＢ（Universal Serial Bus）通信規格に従う通信バス等により、ナビゲーション装置１００に接続される。外部機器１０２は、例えばＧＰＳデバイスと、ＣＰＵ等の処理装置と、電話回線等を通じてインターネットに接続することのできる無線装置と、タッチパネルを備えるディスプレイやスピーカ等のＨＭＩデバイスと、を備え、上記処理装置が種々のアプリケーション・プログラムを実行することにより、様々な機能を発揮する。本実施形態では、特に、外部機器１０２は、そのようなアプリケーション・プログラムの一つを実行することによりナビゲーション機能を備えることができ、ユーザから目的地が設定（入力）されると、外部機器１０２の現在位置（したがって、ホスト車両の現在位置）から当該目的地までの経路案内情報を出力する。この目的地の設定と経路案内情報の出力は、外部機器１０２が備える上記ＨＭＩデバイスを介して行うことができるほか、外部機器１０２をナビゲーション装置１００に接続したときは、ナビゲーション装置１００と当該ナビゲーション装置１００に接続されたメインディスプレイ１０４やスピーカ１０８等のＨＭＩデバイスを介して行うことができる。
【００２３】
メインディスプレイ１０４は、ナビゲーション装置１００が、自装置のナビゲーション機能により生成した、又はナビゲーション装置１００が外部機器１０２から受信した、地図画面を含む詳細な経路案内情報を表示する表示装置であり、例えばハンドル２００の左方のダッシュボード２０２上の操作しやすい位置に配される（図２）。
【００２４】
セカンドディスプレイ１０６は、運転者がメインディスプレイ１０４に比べて短い視線滞留時間により表示内容を把握できるように、運転者が前方道路から大きく視線をそらすことなく視認することのできる位置に設けられる。より具体的には、セカンドディスプレイ１０６は、例えばハンドル２００近傍のダッシュボード２０２上の位置に配されたスピードメータ２０４内に設けられる。これに代えて、運転席に座った運転者から見てハンドル２００のスポークに遮られないダッシュボード２０２上の位置に設けられた小型のディスプレイ２０６、又はフロントガラス２０８に投影されるヘッドアップディスプレイ（HUD、Head-Up Display）２１０を、セカンドディスプレイ１０６として用いることもできる。
【００２５】
ナビゲーション装置１００は、自装置が備えるナビゲーション機能が生成し又はナビゲーション機能を備える外部機器１０２から受信した経路案内情報の全部又は一部を、そのままに又は所定の加工を施した後で、メインディスプレイ１０４、セカンドディスプレイ１０６、及び又はスピーカ１０８を介してユーザに提供する。
【００２６】
図３は、図１に示すナビゲーションシステム１０に用いられるナビゲーション装置１００の構成を示す図である。ナビゲーション装置１００は、処理装置３００と、有線通信インターフェース（ＩＮＦ）３０２と、ＧＰＳ装置３０４と、地図情報等を記憶する記憶装置３０６と、ＨＭＩ通信インターフェース（ＩＮＦ）３０８と、を有する。
【００２７】
有線通信ＩＮＦ３０２は、ナビゲーション装置１００が外部機器１０２と、有線伝送路を介して情報を交換するための通信インターフェースであり、例えばＵＳＢ（Universal Serial Bus）やＣＡＮ（Controller Area Network）等の通信規格に準拠したインターフェースとすることができる。
【００２８】
ＧＰＳ装置３０４は、ホスト車両の現在位置を特定するための測位情報を出力する装置であり、例えば測位用のデータを含むＧＰＳ信号を複数のＧＰＳ衛星から受信して現在位置の緯度及び経度を算出する。なお、ＧＰＳ装置３０４は、ＧＰＳ信号のほか、携帯電話の基地局が送信する電波をさらに受信して、当該基地局の位置情報にも基づいて、現在位置の緯度及び経度を算出するものとしてもよい。
【００２９】
ＨＭＩ通信ＩＮＦ３０８は、メインディスプレイ１０４、セカンドディスプレイ１０６、スピーカ１０８、及びマイクロホン１１０を含む、ナビゲーション装置１００の外部に設けられたＨＭＩデバイスと通信するためのインターフェースである。
【００３０】
処理装置３００は、ＣＰＵ（Central Processing Unit）等のプロセッサ、プログラムが書き込まれたＲＯＭ（Read Only Memory）、データの一時記憶のためのＲＡＭ（Random Access Memory）等を有するコンピュータであり、外部機器検出ユニット３２２と、出力制御ユニット３２４と、入力制御ユニット３２６と、ナビゲーションユニット３２８と、を備えている。処理装置３００が備える上記各ユニットは、コンピュータである処理装置３００がプログラムを実行することにより実現され、当該コンピュータ・プログラムは、コンピュータ読み取り可能な任意の記憶媒体に記憶させておくことができる。これに代えて、上記各ユニットの全部又は一部を、それぞれ一つ以上の電子回路部品を含むハードウェアにより構成すものとすることもできる。
【００３１】
外部機器検出ユニット３２２は、有線通信ＩＮＦ３０２にアクセスすることにより、外部機器１０２からの入力があるか否かを検出し、当該検出の結果を示す入力検出情報を出力する。
【００３２】
出力制御ユニット３２４は、後述するナビゲーションユニット３２８が出力する経路案内情報に基づき、地図画面を含む詳細な経路案内をメインディスプレイ１０４に表示すると共に、当該経路案内情報から、ホスト車両が進むべき進路方向を取得し、当該進路方向を示すシンボルである進路方向指示アイコンをセカンドディスプレイ１０６に表示する。すなわち、進路方向指示アイコンは、ホスト車両（自車両）の進行方向についての方向案内表示である。また、出力制御ユニット３２４は、ナビゲーションユニット３２８が出力する経路案内情報に目的地までの経路についての音声案内が含まれているときは、当該音声案内を、スピーカ１０８に出力する。
【００３３】
さらに、出力制御ユニット３２４は、外部機器１０２が接続されて当該外部機器１０２からの入力が受信されているときは、外部機器１０２が出力する経路案内情報に基づき、地図画面を含む詳細な経路案内をメインディスプレイ１０４に表示すると共に、当該経路案内情報から、ホスト車両が進むべき進路方向を取得し、当該進路方向を示す進路方向指示アイコンをセカンドディスプレイ１０６に表示する。出力制御ユニット３２４は、例えば、外部機器１０２が当該外部機器１０２が備えるＨＭＩデバイスである表示装置（ディスプレイ）に出力すべき経路案内情報に係る画像を、そのままメインディスプレイ１０４に表示するものとすることができる。また、出力制御ユニット３２４は、外部機器１０２が出力する経路案内情報に目的地までの経路についての音声案内が含まれているときは、当該音声案内を、スピーカ１０８に出力する。すなわち、出力制御ユニット３２４は、自装置が備えるナビゲーションユニット３２８が提供するナビゲーション機能又は外部機器１０２が備えるナビゲーション機能のいずれかによる経路案内情報を選択的にＨＭＩデバイス（すなわち、メインディスプレイ１０４、セカンドディスプレイ１０６、及びスピーカ１０８）へ出力することができる。
【００３４】
特に、出力制御ユニット３２４は、外部機器検出ユニット３２２が外部機器１０２からの入力を検出しているときは、自装置が備えるナビゲーションユニット３２８が提供するナビゲーション機能により上記ＨＭＩデバイスに経路案内情報を出力するときと異なる出力態様で、外部機器１０２が備えるナビゲーション機能による経路案内情報を上記ＨＭＩデバイスへ出力する。
【００３５】
より具体的には、上記出力態様は、本実施形態ではセカンドディスプレイ１０６に表示する方向案内表示たる進路方向指示アイコンの配色（又は表示色）であり、出力制御ユニット３２４は、自装置が備えるナビゲーションユニット３２８が提供するナビゲーション機能によりセカンドディスプレイ１０６に進路方向指示アイコンを表示するときと異なる色を用いて、外部機器１０２が備えるナビゲーション機能に基づく進路方向指示アイコンをセカンドディスプレイ１０６に表示する。
【００３６】
図４は、セカンドディスプレイ１０６上に表示される進路方向指示アイコンの一例を示す図である。経路案内情報から取得されたホスト車両が進むべき進行方向が直進、右折、及び左折のいずれであるかに応じて、図４（ａ）、（ｂ）、（ｃ）に示すようなアイコンを進路方向指示アイコンとしてセカンドディスプレイ１０６上に表示するものとすることができる。出力制御ユニット３２４は、例えば、図４（ａ）、（ｂ）、（ｃ）に示す進路方向指示アイコンの前景部４００ａ、ｂ、ｃの色（すなわち、矢印の色（図示矢印の輪郭部分及びハッチング部分）、又は背景部４０２ａ、ｂ、ｃの色を、自装置が備えるナビゲーションユニット３２８が提供するナビゲーション機能による経路案内情報を出力しているときと、外部機器１０２が備えるナビゲーション機能による経路案内情報を出力しているときとで、異なるものとすることができる。
【００３７】
これにより、ユーザは、セカンドディスプレイ１０６に表示されている進路方向指示アイコンを一瞥するだけで、当該アイコンの表示色から、当該進路方向指示アイコンがナビゲーション装置１００が備えるナビゲーション機能が提供する経路案内情報に基づくものか、それとも外部機器１０２が備えるナビゲーション機能が提供する経路案内情報に基づくものかを、容易に認識することができる。
【００３８】
入力制御ユニット３２６は、メインディスプレイ１０４が備えるタッチスクリーン（不図示）及び又はマイクロホン１１０によりユーザがコマンドまたはデータ（例えば、目的地等）を入力したときに、当該入力されたコマンド及び又はデータをナビゲーションユニット３２８又は外部機器１０２へ送信する。
【００３９】
ナビゲーションユニット３２８は、ＧＰＳ装置３０４からの測位情報を受信してホスト車両の現在位置を特定すると共に、ユーザがメインディスプレイ１０４のタッチスクリーン又はマイクロホン１１０により入力した目的地を取得し、記憶装置３０６に記憶されている地図情報を参照して、上記現在位置から上記目的地までの経路案内情報を生成して出力する。
【００４０】
次に、ナビゲーション装置１００における処理について説明する。
本処理は、外部機器検出処理と、出力制御処理１と、を含む。
【００４１】
外部機器検出処理は、ナビゲーション装置１００（より具体的には、有線通信ＩＮＦ３０２）に外部機器１０２が接続されて当該外部機器１０２からの入力があるか否か（入力を受信しているか否か）を判断し、当該判断の結果を示す入力検出情報（「入力有り」又は「入力無し」）を出力する処理であり、外部機器検出ユニット３２２により実行される。
【００４２】
出力制御処理１は、外部機器検出処理の結果に基づき、ナビゲーションユニット３２８が出力する経路案内情報又は外部機器１０２が出力する経路案内情報のいずれかを用いて、メインディスプレイ１０４、セカンドディスプレイ１０６、及びスピーカ１０８へ情報を出力する処理であり、出力制御ユニット３２４により実行される。
以下、これらの処理を順に説明する。
【００４３】
〈外部機器検出処理〉  まず、外部機器検出処理の手順について、図５に示すフロー図にしたがって説明する。本処理は、ユーザがホスト車両のキーを操作することによりナビゲーション装置１００の電源がオンになったときに開始し、その後は、所定の時間間隔で繰り返し実行される。
【００４４】
処理を開始すると、まず、外部機器検出ユニット３２２は、有線通信ＩＮＦ３０２にアクセスして（Ｓ１００）、外部機器１０２からの入力があるか否かを判断し（Ｓ１０２）、当該判断の結果（「入力有り」又は「入力無し」）を示す入力検出情報を出力して（Ｓ１０４）、処理を終了する。なお、外部機器１０２からの入力があるか否かは、例えば有線通信ＩＮＦ３０２の受信バッファ（不図示）にデータが保存されているか否か等を検出することにより判断することができる。なお、図５に示す処理フローに代えて、外部機器１０２から入力があったときに有線通信ＩＮＦ３０２が割り込み信号を発生して処理装置３００へ出力するものとし、当該割り込み信号が受信されたことに基づいて外部機器検出ユニット３２２がステップＳ１０２及びＳ１０４を実行するものとしてもよい。
【００４５】
上記入力検出情報の出力は、例えば、ナビゲーション装置１００が備えるメモリ（不図示）の所定の記憶領域に、外部機器１０２からの入力があったか否かを示す情報を記憶することにより行われるものとし、処理装置３００が備える他のユニットは、当該所定の記憶領域に記憶された情報を読み出すことにより、上記入力検出情報を受信するものとすることができる。
【００４６】
〈出力制御処理１〉  次に、出力制御処理１の手順について、図６に示すフロー図にしたがって説明する。本処理は、ユーザがホスト車両のキーを操作することによりナビゲーション装置１００の電源がオンになったときに開始し、ナビゲーション装置１００の電源がオフになったときに終了する。
【００４７】
処理を開始すると、まず、出力制御ユニット３２４は、図５に示す外部機器検出処理のステップＳ１０４において出力された入力検出情報を受信し（Ｓ２００）、当該受信した入力検出情報が「入力有り」であるか否かを判断する（Ｓ２０２）。そして、入力検出情報が「入力有り」でないときは（すなわち、「入力無し」であるときは）（Ｓ２０２、Ｎｏ）、ナビゲーションユニット３２８から経路案内情報を受信し（Ｓ２０４）、当該受信した経路案内情報に含まれる画像情報を、メインディスプレイ１０４上に表示する（Ｓ２０６）。また、出力制御ユニット３２４は、上記受信した経路案内情報からホスト車両が進むべき進路方向を特定し（Ｓ２０８）、当該進路方向を示す進路方向指示アイコンを、デフォルトとして予め定められた配色で（すなわち、予め定められた前景色と背景色とを用いて）、セカンドディスプレイ１０６上に表示する（Ｓ２１０）。
【００４８】
また、出力制御ユニット３２４は、上記受信した経路案内情報に、目的地までの経路に関する音声案内が含まれているときは、当該音声案内をスピーカ１０８に出力し（Ｓ２１２）、ステップＳ２００に戻って処理を繰り返す。
【００４９】
一方、ステップＳ２０２において、入力検出情報が「入力有り」であるときは（Ｓ２０２、Ｙｅｓ）、外部機器１０２が出力する経路案内情報を有線通信ＩＮＦ３０２を介して受信し（Ｓ２１４）、当該受信した経路案内情報に含まれる画像情報を、メインディスプレイ１０４上に表示する（Ｓ２１６）。また、出力制御ユニット３２４は、上記受信した経路案内情報からホスト車両が進むべき進路方向を特定し（Ｓ２１８）、当該進路方向を示す進路方向指示アイコンを、上記デフォルトの配色とは異なる予め定められた他の配色で、セカンドディスプレイ１０６上に表示する（Ｓ２２０）。また、出力制御ユニット３２４は、上記受信した経路案内情報に、目的地までの経路に関する音声案内が含まれているときは、当該音声案内をスピーカ１０８に出力し（Ｓ２２２）、ステップＳ２００に戻って処理を繰り返す。
【００５０】
なお、本実施形態では、ナビゲーション装置１００によりセカンドディスプレイ１０６への進路方向指示アイコンの表示が直接的に行われるものとしたが、これに限らず、セカンドディスプレイ１０６が他の表示制御装置（例えば、スピードメータ表示制御用の電子制御装置（ECU、Electronic Control Unit））により制御されるものとし、出力制御ユニット３２４の機能の一部が上記表示制御装置に分割されているものとすることもできる。この場合、例えば、出力制御ユニット３２４は、経路案内情報が外部機器１０２から出力されたものかナビゲーションユニット３２８から出力されたものかに応じて、セカンドディスプレイ１０６に表示すべき進路方向指示アイコンの配色を変更するかしないかの指示を、上記表示制御装置に与えるものとし、上記表示制御装置は、当該指示が配色を変更しない旨の指示であるときはデフォルトの配色を用いて進路方向指示アイコンをセカンドディスプレイ１０６に表示し、配色を変更する旨の指示であるときはデフォルトと異なる配色を用いて進路方向指示アイコンを表示するものとすることができる。
【００５１】
〔第２実施形態〕  次に、本発明の第２の実施形態に係るナビゲーションシステムについて説明する。
本実施形態に係るナビゲーションシステムは、第１の実施形態に係るナビゲーションシステム１０の機能に加え、経路案内情報の出力態様として、スピーカから出力される目的地までの経路についての音声案内の音声の種別を、当該経路案内情報が車載のナビゲーション装置が備えるナビゲーション機能によるものか、それとも外部機器が備えるナビゲーション機能によるものかに応じて変更する。これにより、本実施形態のナビゲーションシステムでは、ユーザは、ディスプレイを視ることなくスピーカからの音声のみによっても、現在提供されている経路案内情報が車載のナビゲーション装置によるものか外部機器によるものかを認識することができる。
【００５２】
図７は、本発明の第２の実施形態に係るナビゲーションシステムの構成を示す図、図８は、図７に示すナビゲーションシステムに用いられるナビゲーション装置の構成を示す図である。なお、図７及び図８においては、第１の実施形態について示した図１及び図３と同じ構成要素については、図１及び図３と同じ符号を用いるものとし、上述した第１の実施形態における説明を援用するものとする。
【００５３】
本ナビゲーションシステム７０は、第１のナビゲーションシステム１０と同様の構成を有するが、ナビゲーション装置１００に代えてナビゲーション装置７００を用いる点が異なる（図７）。ナビゲーション装置７００は、第１の実施形態に係るナビゲーション装置１００と同様の構成を有するが、処理装置３００に代えて処理装置８００を備える点が異なる（図８）。処理装置８００は、処理装置３００と同様の構成を有するが、出力制御ユニット３２４に代えて出力制御ユニット８２４を備え、更に音声判定ユニット８３０を備える点が異なる。
【００５４】
処理装置８００は、処理装置３００と同様に、ＣＰＵ等のプロセッサ、プログラムが書き込まれたＲＯＭ、データの一時記憶のためのＲＡＭ等を有するコンピュータであり、上記出力制御ユニット８２４と、音声判定ユニット８３０とは、処理装置８００が備える他のユニットと同様に、コンピュータである処理装置８００がプログラムを実行することにより実現される。また、当該コンピュータ・プログラムは、コンピュータ読み取り可能な任意の記憶媒体に記憶させておくことができる。さらに、処理装置３００と同様に、出力制御ユニット８２４及び音声判定ユニット８３０を含む上記各ユニットの全部又は一部は、それぞれ一つ以上の電子回路部品を含むハードウェアにより構成されるものとすることができる。
【００５５】
出力制御ユニット８２４は、第１の実施形態に係る出力制御ユニット３２４と同様の構成を有するが、出力制御ユニット３２４の機能に加えて、外部機器１０２がナビゲーション装置７００に接続されたときに後述する音声判定ユニット８３０が外部機器１０２の音声案内の音声の種別を判定したときは、その後にナビゲーションユニット３２８が備えるナビゲーション機能によりスピーカ１０８に音声案内を出力するときは、上記判定された外部機器１０２が出力する音声案内の音声の種別と異なる種別の音声により音声案内をスピーカ１０８に出力する。
【００５６】
音声判定ユニット８３０は、外部機器１０２が出力する音声案内の音声の種別を判定する。ここで、「音声の種別」とは、本実施形態では「男声」又は「女声」の違いを意味する。
【００５７】
特に、音声判定ユニット８３０は、外部機器１０２が出力する音声案内の音声データを外部機器１０２から有線通信ＩＮＦ３０２を介して取得できるときは、当該取得した音声データを分析することにより当該音声案内の音声の種別を判定する。一方、外部機器１０２が出力する音声案内の音声データを外部機器１０２から有線通信ＩＮＦ３０２を介して取得できないときは、スピーカ１０８から出力される当該音声案内をマイクロホン１１０により検知し、マイクロホン１１０により得られた当該音声案内の音声データを分析することにより、当該音声案内の音声の種別を判定する。ここで、「外部機器１０２が出力する音声案内の音声データを外部機器１０２から有線通信ＩＮＦ３０２を介して取得できないとき」とは、例えば、外部機器１０２が備えるイヤホンジャック（不図示）とナビゲーション装置７００が備えるライン入力（不図示）とが接続されて、音声案内が、処理装置８００を介することなくスピーカ１０８に直接出力されるような場合をいう。
【００５８】
次に、ナビゲーション装置７００における処理について説明する。
本処理は、外部機器検出処理と、音声判定処理と、出力制御処理２と、を含む。このうち、外部機器検出処理は、図５に示す第１の実施形態に係る同名の処理と同様であるので、上述した当該同名の処理についての説明を援用するものとする。
【００５９】
音声判定処理は、外部機器１０２が出力する音声案内の音声の種別を特定し、ナビゲーションユニット３２８が備えるナビゲーション機能によりスピーカ１０８に音声案内を出力する際に用いる音声（以下、「ネイティブ音声」という）の設定を、上記特定した音声の種別と異なる種別の音声に変更する処理であり、音声判定ユニット８３０により実行される。
【００６０】
出力制御処理２は、図６に示す第１の実施形態に係る出力制御処理１と同様であるが、ナビゲーションユニット３２８から受信した経路案内情報に含まれる音声案内をそのままスピーカ１０８に出力するステップＳ２１２の処理に代えて、上記音声判定処理において設定されたネイティブ音声の種別を参照し、当該音声案内を当該ネイティブ音声に設定されている種別の音声により、スピーカ１０８に出力する点が異なる。
以下、音声判定処理及び出力制御処理２の手順について、順に説明する。
【００６１】
〈音声判定処理〉  音声判定処理の手順について、図９に示すフロー図にしたがって説明する。本処理は、ユーザがホスト車両のキーを操作することによりナビゲーション装置１００の電源がオンになったときに開始し、当該電源がオフになったときに終了する。
【００６２】
処理を開始すると、まず、音声判定ユニット８３０は、図５に示す外部機器検出処理のステップＳ１０４において出力された入力検出情報を受信し（Ｓ３００）、入力検出情報が「入力無し」から「入力有り」に変化したか否かを判断する（Ｓ３０２）。当該判断は、前回受信した入力検出情報を記憶しておき、今回受信した入力検出情報と比較することにより行うことができる。
【００６３】
そして、入力検出情報が「入力無し」から「入力有り」に変化していないときは（Ｓ３０２、Ｎｏ）、ステップＳ３００に戻って処理を繰り返す。一方、入力検出情報が「入力無し」から「入力有り」に変化したときは（Ｓ３０２、Ｙｅｓ）、外部機器１０２から有線通信ＩＮＦ３０２を介して処理装置８００に音声データを取り込める構成となっているか否かを判断する（Ｓ３０４）。この判断は、例えば、ナビゲーション装置７００に接続される可能性のある種々の外部機器について、予め処理装置８００が備える記憶装置（不図示）に各外部機器の機種コードと当該外部機器が上記構成を有するか否かについての情報とを対応付けたテーブルを記憶させておき、有線通信ＩＮＦ３０２が外部機器１０２と通信を確立する際に当該外部機器１０２の機種コードを取得し、音声判定ユニット８３０が当該取得された機種コードに基づいて上記テーブルを参照することにより行うことができる。
【００６４】
そして、外部機器１０２から処理装置８００に音声データを取り込める構成となっているときは（Ｓ３０４、Ｙｅｓ）、外部機器１０２が出力する音声案内の音声データを分析することにより、当該音声案内の種別を特定する（Ｓ３０６）。この音声の種別の特定は、具体的には、例えば当該音声が「男声」であるか「女声」であるかを特定することで行われるものとすることができる。
【００６５】
そして、外部機器１０２からの上記音声案内の音声の種別が女声であるか否かを判断し（Ｓ３０８）、女声であるときは（Ｓ３０８、Ｙｅｓ）、上記ネイティブ音声の種別を「男声」に設定し（Ｓ３１０）、ステップＳ３００に戻って処理を繰り返す。当該ネイティブ音声の設定は、処理装置８００が備える記憶装置（不図示）の所定の記憶領域にネイティブ音声の種別を示す情報を書き込むことにより行うことができる。これにより、出力制御ユニット８２４は、当該記憶領域に書き込まれたネイティブ音声の種別を示す情報を読み込むことにより、ネイティブ音声の種別の設定を取得することができる。
【００６６】
一方、ステップＳ３０８において、外部機器１０２からの上記音声案内の音声の種別が女声でないときは（Ｓ３０８、Ｎｏ）、ネイティブ音声の種別を「女声」に設定して（Ｓ３１２）、ステップＳ３００に戻って処理を繰り返す。
【００６７】
また、一方、ステップＳ３０４において、外部機器１０２から処理装置８００に音声データを取り込める構成となっていないときは（Ｓ３０４、Ｎｏ）、音声判定ユニット８３０は、外部機器１０２がスピーカ１０８から出力する音声案内の音声をマイクロホン１１０により取得し（Ｓ３１４）、当該取得した音声を分析することにより、外部機器１０２からの音声案内の音声の種別を特定する（Ｓ３１６）。続いて、音声判定ユニット８３０は、ステップＳ３０８に処理を移して、当該特定した外部機器１０２からの音声案内の音声の種別が女声であるか否かに応じて、ネイティブ音声の種別を「男声」又は「女声」に設定した後（上記ステップＳ３０８〜Ｓ３１２）、ステップＳ３００に戻って処理を繰り返す。
【００６８】
なお、図９に示す音声判定処理では、外部機器１０２が出力する音声の種別を１回だけ判定するものとしたが、これに限らず、当該音声の種別の特定を複数回行い、所定の回数だけ連続して同じ特定結果であった場合にのみ、ネイティブ音声の種別を設定するものとしてもよい。
【００６９】
また、ステップＳ３１６におけるマイクロホン１１０から取得した音声の分析は、例えば専用の音声認識エンジンを用いて当該音声が音声案内の音声としての特徴を有していると判断される場合にのみ行うものとすることができる。
【００７０】
〈出力制御処理２〉  次に、出力制御処理２の手順について、図１０に示すフロー図にしたがって説明する。なお、図１０において、図６に示す出力制御処理１と同様の処理ステップについては、図６と同じ符号を用いて示すものとし、上述した図６についての説明を援用するものとする。従い、以下では、出力制御処理２の手順について、図６に示す出力制御処理１と異なる部分のみを説明する。
【００７１】
出力制御処理２においては、ステップＳ２１０において進路方向指示アイコンをデフォルトの配色でセカンドディスプレイ１０６に表示した後、出力制御ユニット８２４は、図９に示す音声判定処理のステップＳ３１０又はＳ３１２により設定されたネイティブ音声の種別の設定を取得し（Ｓ４００）、当該ネイティブ音声に設定されている種別の音声により、ナビゲーションユニット３２８が出力する経路案内情報に含まれる音声案内をスピーカ１０８へ出力した後（Ｓ４０２）、ステップＳ２００に戻って処理を繰り返す。
【００７２】
ステップＳ４０２における処理では、公知の種々の手法を用いて、ネイティブ音声に設定されている種別に応じた「男声」又は「女声」の音声案内を出力するものとすることができる。例えば、男声又は女声の特徴的な音響周波数スペクトルを持つように音声案内の音声を変換して、当該変換後の音声をスピーカ１０８に出力したり、音声合成の手法を用いて、上記ネイティブ音声に設定された音声種別に従って男声又は女声により案内音声を生成して出力するものとすることができる。また、男声及び女声をそれぞれ用いて予め録音しておいた案内音声を、上記ネイティブ音声に設定された音声種別に従って選択して出力するものとすることもできる。
【００７３】
以上、説明したように、上述した第１及び第２の実施形態では、ナビゲーション装置１００、７００は、自装置に接続される外部機器１０２からの入力を検出する外部機器検出ユニット３２２と、ＨＭＩデバイスであるディスプレイ１０４、１０６やスピーカ１０８への経路案内情報の出力を制御する出力制御ユニット３２４、８２４と、を備え、自装置が備えるナビゲーション機能又は外部機器が備えるナビゲーション機能のいずれかによる経路案内情報を選択的に上記ＨＭＩデバイスへ出力する。またその際、外部機器検出ユニット３２２が外部機器１０２からの入力を検出しているときは、出力制御ユニット３２４、８２４は、自装置が備えるナビゲーション機能により上記ＨＭＩデバイスに経路案内情報を出力するときと異なる出力態様（例えば、進路方向指示アイコンの配色、又は音声案内の音声種別）で、外部機器１０２が備えるナビゲーション機能による経路案内情報を上記ＨＭＩデバイスへ出力する。
【００７４】
これにより、ユーザは、セカンドディスプレイ１０６に表示されている進路方向指示アイコンを一瞥するだけで、又はスピーカ１０８から出力される音声案内を聴いただけで、現在与えられている経路案内情報がナビゲーション装置１００、７００のナビゲーション機能によるものか、それとも外部機器１０２のナビゲーション機能によるものかを、容易に認識することができる。
【００７５】
尚、上述した第１及び第２の実施形態では、外部機器１０２とナビゲーション装置１００又は７００とが通信バスを介して有線接続されるものとしたが、これに限らず、外部機器１０２とナビゲーション装置１００又は７００とがそれぞれ無線通信のための送受信機を備え、WiFi等の無線通信を介して互いに接続されるものとすることもできる。
【符号の説明】
【００７６】
１０、７０・・・ナビゲーションシステム、１００、７００・・・ナビゲーション装置、１０２・・・外部機器、１０４・・・メインディスプレイ、１０６・・・セカンドディスプレイ、１０８・・・スピーカ、１１０・・・マイクロホン、２００・・・ハンドル、２０２・・・ダッシュボード、２０４・・・スピードメータ、２０６・・・ディスプレイ、２０８・・・フロントガラス、２１０・・・ヘッドアップディスプレイ、３００、８００・・・処理装置、３０２・・・有線通信ＩＮＦ、３０４・・・ＧＰＳ装置、３０６・・・記憶装置、３０８・・・ＨＭＩ通信ＩＮＦ、３２２・・・外部機器検出ユニット、３２４、８２４・・・出力制御ユニット、３２６・・・入力制御ユニット、３２８・・・ナビゲーションユニット、８３０・・・音声判定ユニット。
【図１】
2017018052.tif 000003
【図２】
2017018052.tif 000004
【図３】
2017018052.tif 000005
【図４】
2017018052.tif 000006
【図５】
2017018052.tif 000007
【図６】
2017018052.tif 000008
【図７】
2017018052.tif 000009
【図８】
2017018052.tif 000010
【図９】
2017018052.tif 000011
【図１０】
2017018052.tif 000012
【国際調査報告】
2017018052.tif 000013
2017018052.tif 000014